(57)【要約】【課題】  所定場所の通行が既に許可されている正規の人の通行操作を簡易化する。【解決手段】  建物１の玄関出入口及び部屋３，４の出入口には、電気錠８〜１０付きの扉５〜７を有し、各出入口の近傍には個人判別装置１１〜１３が設けてある。個人判別装置１１〜１３にはカードリーダ、指紋リーダ、テンキー等が配置してある。  通行者は、判別カードを個人判別装置１１のカードリーダに操作し、「ＯＫ」となれば指紋リーダで指紋を入力し「ＯＫ」となれば、電気錠８が解錠して通行許可となる。他の出入口も同じである。上記２種の個人判別「ＯＫ」が所定回数に達すると、次回以降はカードリーダが「ＯＫ」となればその場所の通行が許可となる。【選択図】        図１
2005105516.tif 000002
【特許請求の範囲】
【請求項１】
通行場所にそれぞれ複数種の個人判別器が設置され、一つの場所の上記個人判別器がすべて同一の特定個人を判別すると、その場所の通行を許可する装置において、所定の条件を満足すると動作する条件検出手段と、この条件検出手段が動作すると、次回以降は上記複数種よりも少ない数の個人判別器が上記特定個人を判別すれば、その場所の通行を許可する通行特別許可手段とを備えたことを特徴とする個人判別装置。
【請求項２】
条件検出手段を、一つの場所の個人判別器がすべて同一の特定個人を所定回数以上判別すると動作するものとしたことを特徴とする請求項１記載の個人判別装置。
【請求項３】
条件検出手段を、一つの場所の複数の個人判別器がすべて同一の特定個人を判別して、その場所の扉の通行が許可されたことを検出するものとし、通行特別許可手段を、上記条件検出手段が動作すると、次の場所以降の扉は上記複数種よりも少ない数の個人判別器が上記特定個人を判別すれば、その扉の通行を許可するものとしたことを特徴とする請求項１記載の個人判別装置。
【請求項４】
条件検出手段を、所定経路内の各場所にそれぞれ設置された複数種の個人判別器がすべて同一の特定個人を所定回数以上判別すると動作するものとし、通行特別許可手段を、上記条件検出手段が動作すると、上記所定経路内又はこの所定経路を主要経路とする類似経路内の個人判別器は、上記複数種よりも少ない数の個人判別器が上記特定個人を判別すれば、次回以降は上記所定経路又は上記類似経路の通行を許可するものとしたことを特徴とする請求項１記載の個人判別装置。
【請求項５】
条件検出手段を、所定経路内の各場所にそれぞれ設置された複数種の個人判別器がすべて同一の特定個人を所定回数以上判別し、かつこれが所定時間帯に検出されると動作するものとしたことを特徴とする請求項４記載の個人判別装置。
【請求項６】
複数種の個人判別器の操作性が異なる場合、次回以降の個人判別は上記操作性が容易な方の個人判別器で実行するものとしたことを特徴とする請求項１記載の個人判別装置。
【請求項７】
複数種の個人判別器の内、１個以上は人体の特徴点により特定個人を判別する人体特徴点判別器を用いたことを特徴とする請求項１記載の個人判別装置。
【請求項８】
複数種の個人判別器の内、１個以上は人体の特徴点により特定個人を判別する人体特徴点判別器を用い、この人体特徴点判別器で上記特定個人の判別が不能と判定された人に対しては、通行特別許可手段の動作を阻止する通行特別許可阻止手段を設けたことを特徴とする請求項１記載の個人判別装置。
【請求項９】
個人判別器が操作されても特定個人が判別されなかったときは、通行判別許可手段の動作を阻止する通行特別許可阻止手段を設けたことを特徴とする請求項１記載の個人判別装置。
【請求項１０】
所定場所への侵入を検出する侵入検出器を設置し、この侵入検出器が上記侵入を検出すると、通行特別許可手段の動作を阻止する通行特別許可阻止手段を設けたことを特徴とする請求項１記載の個人判別装置。
【請求項１１】
請求項１〜４及び請求項６〜１０に記載の構成を、所定の時間帯に適用するものとしたことを特徴とする個人判別装置。
【発明の詳細な説明】
【技術分野】
【０００１】
この発明は、複数種の個人判別器により特定個人を判別してその場所の通行を許可する装置に関するものである。
【背景技術】
【０００２】
建物用の特定区域へは関係者以外の立入りを禁止するため、特定区域への通路又は出入口に電気錠によって開閉される扉を設け、この扉の近傍に特定区域への通行を許可された者か否かを判別する個人判別装置を設置する場合がある。この場合、個人判別の正確を期するため、個人判別装置には複数種の個人判別器を設置することが提案されている。
【０００３】
すなわち、入力された人体の特徴点が所定範囲内にあることを判定する特徴点範囲内判定手段と、この特徴点範囲内判定手段が動作し、かつその個人だけが知っている個人情報とこの個人情報の登録データとの照合結果が一致すれば一致信号を出力する個人判定手段とを備えるように構成されている（例えば、特許文献１参照）。
【０００４】
【特許文献１】特開平８−３１５１４２号公報（段落００１１、図５）
【発明の開示】
【発明が解決しようとする課題】
【０００５】
上記のような従来の個人判別装置では、人体の特徴点（指紋）と、その個人だけが知っている個人情報（カレンダ情報など）の両者がそれぞれ照合「正」の場合に一致信号を出力するようにしているため、既に通行が許可されている人でも、各場所で常に複数の個人判別器を操作する必要があり、操作に手間がかかるという問題点がある。
【０００６】
この発明は上記問題点を解消するためになされたもので、既に通行が許可されている人の通行操作を簡易にすることができるようにした個人判別装置を提供することを目的とする。
【課題を解決するための手段】
【０００７】
この発明に係る個人判別装置は、通行場所にそれぞれ複数種の個人判別器が設置され、一つの場所の個人判別器がすべて同一の特定個人を判別すると、その場所の通行を許可し、所定の条件を満足すると、次回以降は上記複数種よりも少ない数の個人判別器が特定個人を判別すれば、その場所の通行を許可するようにしたものである。
【発明の効果】
【０００８】
以上説明したとおりこの発明では、一つの場所の複数の個人判別器がすべて同一の特定個人を判別すると、その場所の通行を許可し、所定の条件を満足すると、次回以降は上記複数種よりも少ない数の個人判別器が特定個人を判別すれば、その場所の通行を許可するようにしたので、正規の人は繁雑さが緩和された操作により通行することができ、特に出勤及び退勤時の通行渋滞を緩和することができる。
【発明を実施するための最良の形態】
【０００９】
実施の形態１．
図１〜図５はこの発明の第１〜第３、第６及び第７発明の一実地の形態を示す図で、図１は建物の平面図、図２は個人判別装置の斜視図、図３はブロック線図、図４は登録動作フローチャート、図５は照合動作フローチャートであり、図中同一符号は同一部分を示す。
【００１０】
図１〜図３において、建物１には通路２を挟んで部屋３及び部屋４が設けられている。建物１の玄関出入口には扉５が、部屋３の出入口には扉６が、部屋４の出入口には扉７が設けられており、扉５〜７にはそれぞれ電気錠８〜１０が設置されている。また、玄関出入口近傍には特定個人を判別する個人判別装置１１が設置され、部屋３，４の出入口近傍にはそれぞれ個人判別装置１２，１３が設置されている。
【００１１】
個人判別装置１１〜１３は、個人が所持する判別カードを読み取るカードリーダ（個人判別器）１４、個人の指紋を読み取る指紋リーダ（個人判別器）１５、テンキー（個人判別器）１６及び個人判別の結果を示すＯＫ灯及びＮＧ灯からなる表示器１７が設置されている。個人判別装置１１〜１３には、上記のほかにＣＰＵ１８，ＲＯＭ１９，ＲＡＭ２０、出力インターフェース２１及び伝送装置２２が設けられ、カードリーダ１４，指紋リーダ１５、テンキー１６及び表示器１７とともに相互に接続されている。
【００１２】
なお、図３では省略されているが、個人判別装置１１〜１３はすべて同一の構成となっており、出力インターフェース２１はそれぞれ電気錠８〜１０に接続されている。また、伝送装置２２は各個人判別装置１１〜１３間で相互に接続されている。
なお、個人判別装置１１は中央処理機能、登録機能及び照合機能を有しており、個人判別装置１２，１３は照合機能だけを有しているものとする。
【００１３】
次に、この実施の形態の動作を図４及び図５を参照して説明する。
（１）登録動作（図４）
通行許可判定の基準となる個人情報の登録は、個人判定装置１１で実施されるものとする。
ステップＳ１で個人判別装置１１のテンキー１６から登録モードのコードが入力されるのを待つ。テンキー１６が操作されてコードが入力されると、ステップＳ２で表示器１７のＯＫ灯とＮＧ灯を同時に一時点灯して登録モードが設定されたことを表示する。そして、ステップＳ３で個人が所持する判別カードがカードリーダ１４にリードされるのを待つ。判別カードをリードしたらステップＳ４で表示器１７のＯＫ灯を一時点灯して、判別カードがリードされたことを表示する。
【００１４】
ステップＳ５ではリードした判別カードのカード番号（個人番号）をＲＡＭ２０に記憶する。ステップＳ６で指紋が指紋リーダ１５にリードされるのを待つ。指紋をリードしたら、ステップＳ７で上記リードした指紋の特徴点（端点、分岐点等）データが、個人を判別するのに適当な量あるかを判定する。適当なデータ量あれば、ステップＳ８で表示器１７のＯＫ灯を一時点滅して、これを表示する。ステップＳ９でカード番号と特徴点データとを一対としてＲＡＭ２０に記憶（登録）する。
【００１５】
ステップＳ１０でテンキー１６から登録モード終了のコードが入力されるのを待つ。テンキー１６が操作されて終了コードが入力されると、ステップＳ１１で表示器１７のＯＫ灯とＮＧ灯を同時に一時点灯して、登録モードの終了を表示するとともに、処理は終了する。
次に、ステップＳ７で適当なデータ量がないと判定すると、ステップＳ１２で表示器１７のＮＧ灯を一時点滅して、個人判別データ補強のため、テンキー１６から追加入力することを指示する。
【００１６】
ステップＳ１３で上記指示に従って、操作者はテンキー１６を操作して、「＊」キーと自分の暗証番号を入力する。ステップＳ１４ではステップＳ５でリードしたカード番号と一対にして、上記「＊」と暗証番号をＲＡＭ２０に記憶する。ステップＳ１５でテンキー１６から登録モード終了のコードが入力されるのを待つ。テンキー１６が操作されて終了コードが入力されると、ステップＳ１６で表示器１７のＯＫ灯とＮＧ灯を同時に一時点灯して、登録モードの終了を表示するとともに、処理は終了する。
【００１７】
上記の結果、通行資格のある正規の人は、ＲＡＭ２０に次のＡ，Ｂのいずれかが登録される。
Ａ  カード番号  特徴点データ    Ｎ
Ｂ  カード番号  ＊  暗証番号    Ｎ
なお、Ｎは通行特別許可が与えられる判別回数（後述）である。
【００１８】
（２）照合動作（図５）
建物１の玄関出入口及び部屋３、４の出入口を通行しようとする者は、個人判別装置１１〜１３で通行許可を受けるものとする。以下、建物１の玄関出入口での操作について説明する。
ステップＳ１で個人判別装置１１のカードリーダ１４は判別カードがリードされるのを待つ。判別カードをリードしたらステップＳ２２へ進み、カード番号をＲＡＭ２０に記憶されているカード番号と照合して「正」「否」を判定する。
【００１９】
カード番号が「否」であれば、ステップＳ２１へ戻るとともに、ステップＳ２３で表示器１７のＮＧ灯を一時点灯して、カード番号が誤りであることを表示する。カード番号が「正」であれば、ステップＳ２４で表示器１７のＯＫ灯を一時点灯して、カード番号が正しいことを表示して、ステップＳ２５へ進む。ステップＳ２５でこの番号の操作回数、すなわち通行カウンタの計数値がＮであるかを判定し、Ｎに達していなければ、ステップＳ２６へ進む。ステップＳ２６でこのカード番号には「＊」があるか判定し、「＊」がなければステップＳ２７へ進む。
【００２０】
ステップＳ２７で指紋が指紋リーダ１５にリードされるのを待ち、指紋をリードしたら、ステップＳ２８で指紋の特徴点データをＲＡＭ２０に記憶されている特徴点データと照合してその「正」「否」を判定する。指紋が「否」であれば、ステップＳ２１へ戻るとともに、ステップＳ２９で表示器１７のＮＧ灯を一時点滅して、指紋の不一致を表示する。指紋が「正」であれば、ステップＳ３０で表示器１７のＯＫ灯を一時点滅して、通行が許可されたことを表示するとともに、ステップＳ３１で電気錠８を一時解錠する。
【００２１】
同時に、ステップＳ３２で通行カウンタの計数値に１を加算する。なお、この通行カウンタは計数値がＮに達すると計数は中止するようになっている。
次に、ステップＳ２５で通行カウンタの計数値がＮに達したと判定すると、ステップＳ３３で表示器１７のＯＫ灯を一時点滅し、以後は簡易操作が許可されたことを表示するとともに、ステップＳ３４で電気錠８を一時解錠する。これで、判別カードの照合だけで通行可能となる。
【００２２】
また、ステップＳ２６で判別カード番号に「＊」があると判定すると、ステップＳ３５でテンキー１６から暗証番号が入力されるのを待つ。暗証番号が、入力されると、ステップＳ３６で暗証番号をＲＡＭ２０に記憶されている暗証番号と照合してその「正」「否」を判定する。暗所番号が「否」であれば、ステップＳ２１へ戻るとともに、ステップＳ３７で表示器１７のＮＧ灯を一時点滅して、暗証番号の不一致を表示する。
【００２３】
暗証番号が「正」であれば、ステップＳ３８で表示灯１７のＯＫ灯を一時点滅して、通行が許可されたことを表示するとともに、ステップＳ３９で電気錠８を一時解錠する。ただし、この場合通行カウンタは動作しないので、計数値はＮに達することはなく、簡易操作は許可されない。
なお、個人判別装置１２，１３についても同様であり、それぞれ部屋３，４への通行を管理する。
ここで、ステップＳ２５は、条件検出手段を、ステップＳ３４は通行特別許可手段を構成している。
【００２４】
このようにして、判別カードによる個人判別及び指紋による個人判別が共に「正」になった回数が所定回数Ｎに達すると、以降は判別カードの判別だけで電気錠８の解錠、すなわち通行許可が与えられるため、正規の人は繁雑さが緩和された操作により扉５〜７を通行することが可能となる。特に出勤及び退勤時には、通行渋滞を緩和することが可能となる。
【００２５】
実施の形態２．
実施の形態１の他の実施の形態を示し、図１〜図４を共用し、図５の一部を変更すれば実現できる。
この実施の形態は、判別カードによる個人判別及び指紋による個人判別が共に「正」になった回数が所定回数Ｎに達すると、以降は指紋による個人判別だけで通行許可が与えられるようにしたものであり、実施の形態１と同様の効果がある。
【００２６】
実施の形態３．
この発明の第４発明の一実施の形態を示し、図１〜図４を共用し、図５の一部を変更すれば実現できる。
この実施の形態は、個人判別装置１１のカードリーダ１４及び指紋リーダ１５の操作により扉５の通行許可が与えられ、次に個人判別装置１２のカードリーダ１４及び指紋リーダ１５の操作により扉６の通行許可が与えられた場合、換言すれば所定経路での通行許可が与えられ、これが所定回数Ｎに達すると、次回からは上記と同一経路については、カードリーダ１４又は指紋リーダ１５の操作だけで通行許可が与えられるようにしたものであり、実施の形態１と同様の効果がある。
【００２７】
また、次回からは上記と同一の経路だけでなく、扉５から扉７のような類似経路にもカードリーダ１４又は指紋リーダ１５の操作だけで通行許可が与えられるようにしてもよい。
【００２８】
実施の形態４．
この発明の第５発明の一実施の形態を示し、図１〜図４を共用し、図５の一部を変更すれば実現できる。
この実施の形態は、実施の形態３が所定経路又は類似経路では、カードリーダ１４又は指紋リーダ１５の操作だけで通行許可が与えられるようにしたものであるのに対し、更に、通行時間帯を所定時間帯に限定したものであり、実施の形態１と同様の効果があるとともに、通行特別許可を適切な時期に設定することが可能となる。
【００２９】
実施の形態５．
図６はこの発明の第８発明の一実施の形態を示す照合動作フローチャートであり、図１〜図４を共用し、図５のステップＳ２２とステップＳ２５の間に、ステップＳ２６に相当するステップＳ４１を挿入したものであり、他は図５と同様である。
すなわち、ステップＳ２１，Ｓ２２で判別カードの番号が「正」であると判定されると、ステップＳ４１でこのカード番号には「＊」があるかを判定し、「＊」があればステップＳ３５へ進む。
【００３０】
そして、ステップＳ３５，Ｓ３６でテンキー１６から入力された暗証番号が「否」であると判定されると、ステップＳ２１へ戻り、ステップＳ２２−Ｓ４１−Ｓ３５−Ｓ３６を繰り返す。ステップＳ４１でカード番号に「＊」がないと判定するとステップＳ２５へ進み、図５の動作と同様になる。
ここで、ステップＳ４１は通行特別許可阻止手段を構成している。
【００３１】
このようにして、カード番号に「＊」のある人、すなわち指紋照合不可の人は暗証番号で代用できるが、通行カウンタの計数値が所定回数Ｎに達しても、特別通行許可は与えられず、常に判別カードと暗証番号が共に「正」であることが要求され、実施の形態１と同様の効果があるとともに、警備性を向上することが可能となる。
【００３２】
実施の形態６．
この発明の第９発明の一実施の形態を示し、図１〜図４を共用し、図５の一部を変更すれば実現できる。
この実施の形態は、図５のステップＳ２２でカード番号の照合が「否」と判定されたとき、ステップＳ２８で指紋の特徴点の照合が「否」と判定されたとき、ステップＳ３６で暗証番号の照合が「否」と判定されたとき等、ＮＧ操作が発生したときには、通行カウンタの計数値が所定回数Ｎに達しても、特別通行許可は与えられないようにしたものであり、実施の形態１と同様の効果があるとともに、警備性を向上することが可能となる。
【００３３】
実施の形態７．
この発明の第１０発明の一実施の形態を示し、図１〜図４を共用し、図５の一部を変更すれば実現できる。
この実施の形態は、所定場所を通過したり、窓ガラスが破壊されたりするなどの侵入発生を検出する侵入検出器を設置し、この侵入検出器が動作したときには、通行カウンタの計数値が所定回数Ｎに達しても、特別通行許可は与えられないようにしたものであり、実施の形態１と同様の効果があるとともに、警備性を向上することが可能となる
【００３４】
実施の形態８．
この発明の第１１発明の一実施の形態を示す。
この実施の形態は、第１〜第４及び第６〜第１０発明による構成を、出退勤時、昼食時等混雑が予想される所定の時間帯に適用するようにしたものである。これにより、混雑時の通行渋滞を緩和することが可能となる。
【００３５】
その他の実施の形態．
次のように実施することも可能である。
【００３６】
（１）実施の形態６ではＮＧ操作が発生したとき、実施の形態７では侵入が発生したとき、その時点で判別操作している人について特別通行許可を与えないようにするものとしたが、これを全員に対し、一定時間特別通行許可を阻止するようにする。
（２）判別カードとして、磁気カード、ＩＣカード、非接触カード、ウィーガンドカード、光カード等を用いる。
（３）人体特徴点として、指紋以外にアイリス、網膜、顔形、音声、署名等を用いる。
【００３７】
（４）複数種の個人判別器として、カードリーダ１４と指紋リーダ１５との組合せを用いるものとしたが、テンキー１６を用いてもよく、その組合せに制限はない。例えば、磁気カードリーダとＩＣカードリーダとの組合せでもよい。
（５）災害発生時は、すべての扉５〜７は自由に通行可能とする。
（６）種々の個人判別器が、各扉に不統一の数設置されている（例えば、第１扉はカードリーダ１４、第２扉はカードリーダ１４と指紋リーダ１５とテンキー１６…）場合は、人体特徴点を利用している個人判別器のいずれかが「正」の判定を出力した回数、経路等の条件が満足すれば、次回以降特別通行許可を与える。
【図面の簡単な説明】
【００３８】
【図１】この発明の実施の形態１を示す建物の平面図。
【図２】図１の個人判別装置の斜視図。
【図３】この発明の実施の形態１を示すブロック線図。
【図４】この発明の実施の形態１を示す登録動作フローチャート。
【図５】この発明の実施の形態１を示す照合動作フローチャート。
【図６】この発明の実施の形態５を示す照合動作フローチャート。
【符号の説明】
【００３９】
１  建物、  ２  通路、  ３、４  部屋、  ５〜７  扉、  ８〜１０  電気錠、  １１〜１３  個人判別装置、  １４  カードリーダ（個人判別器）、  １５    指紋リーダ（個人判別器）、  １６  テンキー（個人判別器）。
Ｓ２５  条件検出手段、  Ｓ３４  通行特別許可手段、  Ｓ４１  通行特別許可阻止手段。
【図１】
2005105516.tif 000003
【図２】
2005105516.tif 000004
【図３】
2005105516.tif 000005
【図４】
2005105516.tif 000006
【図５】
2005105516.tif 000007
【図６】
2005105516.tif 000008